(57)【要約】【課題】射出成形した際、スリット面が外側に湾曲しない揮散容器用キャップを提供すること。【解決手段】揮散薬剤が収納可能な容器本体（２０）の開口部（２１）に装着され、射出成形法により作製されるスリット（１４）に囲まれた複数の揮散口（１５）が設けられた揮散容器用のキャップであって、前記揮散容器用キャップ（１０）の上部に複数の薄肉のスリット（１４）が形成され、隣接する各スリット間で揮散口（１５）を形成させると共に、前記スリットの一部にアンダーカット形状（１７）を設けた。【選択図】図２
2006096385.tif 000002
【特許請求の範囲】
【請求項１】
揮散薬剤が収納可能な容器本体の開口部に装着され、射出成形法により作製されるスリットに囲まれた複数の揮散口が設けられた揮散容器用のキャップであって、
前記キャップの上部に複数の薄肉のスリットが形成され、隣接するスリット間で揮散口を形成させると共に、前記スリットの一部にアンダーカット形状を設けたことを特徴とする、揮散容器用キャップ。
【請求項２】
前記アンダーカット形状はスリット部分の裏面に形成されていることを特徴とする、請求項１記載の揮散容器用キャップ。
【発明の詳細な説明】
【技術分野】
【０００１】
本発明は、芳香剤や消臭剤等の薬剤を周囲に揮散させるプラスチック製の揮散容器用のキャップに関し、特には、射出成形法により作製したスリット構造を有する揮散容器用キャップに関する。
【背景技術】
【０００２】
従来、芳香剤や消臭剤等の薬液を揮散させる揮散容器は、一般的には、上部に開口部を具備した容器本体と、該容器本体の上部に装着され、複数の揮散口が設けられたキャップとからなっており、容器本体の内部に揮散する薬剤が収納されている。
【０００３】
そして、この薬剤を収納した揮散容器を室内等の適宜の空間に配置すると、揮散口から容器内に流入する空気内に薬剤が揮散した後、容器外部に流出して、周囲に薬剤の薬効による芳香空間が形成される。
【０００４】
従って、キャップがなくても薬剤の揮散による効果を得ることは可能ではあるが、配置状態において、容器内部に落下した物等が入ることを防止し、あるいは搬送時や陳列時に揮散容器が積み重ねられるようにキャップを設けている。また、キャップを設けても揮散が可能なように、キャップには揮散口が形成されている。
【０００５】
搬送時や陳列時に積み重ねが要求されることを考慮すると、キャップは不可欠であるが、キャップを設けると容器への空気の流入や流出が阻害されて、薬剤の揮散効率が低下する。このため、キャップを設けつつも容器への空気の流入や流出がより効率的になさるべく、キャップに形成される揮散口の開口面積を増大させることが必要となる。
【０００６】
しかし、各揮散口の開口面積を増大させると、揮散口から容器本体内部に物が入ってしまい、キャップによる物の容器内への落下防止効果が損なわれてしまう。そこで、各揮散口の開口面積を増大させることなく、揮散口の数を増大させることにより、キャップによる物の容器本体内への落下防止効果を確保しつつ、揮散効率を高めることが考えられる。しかし、揮散口の数を増大させると、揮散口以外の残存部分が相対的に減少することになり、その結果キャップの強度が低下して揮散容器を積み重ねることが出来なくなってしまう。
【０００７】
そのような理由から、揮散効率の向上を図りつつ、積み重ね性を確保することができる揮散容器が多数研究されている（例えば、特許文献１参照）。
【０００８】
上記先行技術文献を示す。  
【特許文献１】特開２００２−３５５３０２号公報  しかしこの発明は、スリット面が外側に湾曲しているという問題がある。
【発明の開示】
【発明が解決しようとする課題】
【０００９】
本発明は、スリット構造を有する射出成形により作製される揮散容器用キャップに関する以上のような問題に鑑みてなされたもので、スリット面が外側に湾曲しない揮散容器用キャップを提供することを課題とする。
【課題を解決するための手段】
【００１０】
本発明の請求項１の発明は、揮散薬剤が収納可能な容器本体の開口部に装着され、射出成形法により作製されるスリットに囲まれた複数の揮散口が設けられた揮散容器用のキャップであって、前記キャップの上部に複数の薄肉のスリットが形成され、隣接する各スリット間で揮散口を形成させると共に、前記スリットの一部にアンダーカット形状を設けたことを特徴とする、揮散容器用キャップである。
【００１１】
このように請求項１記載の発明によれば、キャップの上部に複数の薄肉のスリットが形成され、隣接する各スリット間で揮散口を形成させると共に、前記スリットの一部にアンダーカット形状を設けたので、薄肉のスリット部分とそれ以外の部分の間に肉厚の差があっても、アンダーカット形状が離型時に内側に引っ張られることによりスリットが湾曲することがない。
【００１２】
また、請求項２の発明は、請求項１の発明において、前記アンダーカット形状はスリット部分の裏面に形成されていることを特徴とする、揮散容器用キャップである。
【００１３】
このように請求項２記載の発明によれば、アンダーカット形状はスリット部分の裏面に形成されているので、薄肉のスリット部分とそれ以外の部分の間に肉厚の差があっても、アンダーカット形状が離型時に内側に引っ張られることによりスリットが湾曲することがない。
【発明の効果】
【００１４】
このように本発明の揮散容器用キャップは、スリット裏面に軽くアンダーカット形状を設けることにより、十分な開口面積（スリット幅小さく）と、樹脂量もあまり取らないで（スリット薄く、環境向き）成形することが可能になる。
【発明を実施するための最良の形態】
【００１５】
本発明を一実施形態に基づいて以下に詳細に説明する。
本発明の揮散容器用キャップは、プラスチック樹脂製で、例えば、図１、図２に示すように、揮散薬剤が収納可能な容器本体（２０）の開口部（２１）に装着され、射出成形法により作製されるスリット（１１）に囲まれた複数の揮散口（１５）が設けられたキャップである。以下にキャップの詳細を述べる。
【００１６】
すなわち、キャップは円筒状のスカート部（１１）を有しており、スカート部の内周面には容器本体の開口部（２１）と螺着する雌螺子（１２）が形成されている。
【００１７】
スカート部（１１）の上端部には、フランジ（１３）が全周にわたって形成されており、このフランジ（１３）はキャップの上部斜め外方に突出して形成されている。
【００１８】
フランジ（１３）の下端部には、内側に複数のスリット（１４）が形成されていると共に、隣接する各スリット間に揮散口（１５）が形成されている。
フランジ（１３）の内側で中心部近傍には、フランジの下端部と同一平面上にフランジと同心円の関係にある環状スリット（１６）が形成されている。
【００１９】
各スリット（１４）は、一方の端部を環状スリット（１６）に結合させ、もう一方の端部をフランジの下端部に結合させ、例えば、図示のように５片の花弁状にスリット模様が形成されている。
【００２０】
５片の花弁状に形成されたスリット模様を３６°回転させた状態で、一方の端部を環状スリット（１６）に結合させ、もう一方の端部をフランジ（１３）の下端部よりやや上方に結合させた、５片の花弁状の第２のスリット模様が形成されている。そして、各スリッ
ト（１４）とスリット（１４）の間は、空間となって揮散口（１５）を形成している。
【００２１】
環状スリット（１６）の裏側には、アンダーカット形状（１７）を設けてある。アンダーカット形状を設けることにより、後記する離型後のスリット部分の外側への湾曲化を防止している。
【００２２】
このような形状を有する揮散容器用キャップ（１０）は、例えば、ポリプロピレンのような熱可塑性樹脂を用いて射出成形法により作製される。この場合、生産効率を良くするために、各スリット（１４）は薄肉にしている一方でスカート部（１１）は基本的には厚肉である。
【００２３】
生産効率を上げるために、射出成形サイクルを短くする必要がある。そのため冷却がやや不十分となり、特に肉厚が厚いと表面では固化されていても内部は十分に固化されず、固化とともに収縮が進んで行くことになる。従って、成形後肉厚のあるスカート部（１１）が縮んで内径が小さくなってくる。
【００２４】
キャップ上部のスリット部（１４）は、基本的には薄肉で開口面積が大きく作られているため、スカート部（１１）の収縮に沿う形で平ら面が自然に外側に湾曲する形状になってくる（図５参照）。
【００２５】
薄肉のスリット部分（１４）の湾曲化を防止するために、スリットの裏面にアンダーカット形状（１７）を設けた。アンダーカットは０．０１ｍｍ以上で０．０５ｍｍが最も望ましい。離型時にスカート部側に引っ張られ、離型後すぐスカート部が収縮すると実際は内反りするような状態になるのであるが、スカート部が厚いために平坦になっているように見えて外側に湾曲することはない（図２参照）。
【図面の簡単な説明】
【００２６】
【図１】本発明の揮散容器用キャップの一実施例を示す、平面説明図である。
【図２】図１のＡ−Ａ’線断面説明図である。
【図３】本発明の揮散容器用キャップを揮散容器に螺着させた状態を示す、部分説明図である。
【図４】従来の揮散容器用キャップの一例を示す、平面説明図である。
【図５】図４のＢ−Ｂ’線断面説明図である。
【符号の説明】
【００２７】
１０‥‥揮散容器用キャップ
１１‥‥スカート部
１２‥‥雌螺子
１３‥‥フランジ
１４‥‥スリット
１５‥‥揮散口
１６‥‥環状スリット
１７‥‥アンダーカット形状
２０‥‥揮散容器本体
２１‥‥開口部
【図１】
2006096385.tif 000003
【図２】
2006096385.tif 000004
【図３】
2006096385.tif 000005
【図４】
2006096385.tif 000006
【図５】
2006096385.tif 000007